(57)【要約】  【課題】  調歩同期伝送方式では、送信するデータの最初と最後にスタートビットとストップビットを付加し、かつ、送信データがない期間は、ストップビットを連続して付加する構成となっているので、ランダム的なエラーにより、送信していないはずのデータがストップビットに全てＨレベルのデータが付加されたパケットとして誤認識されるという問題がある。  【解決手段】  スタートビット、データビット、パリテイビットおよびストップビットからなる調歩同期によってデータを伝送するデータ伝送方法において、送信側において、上記スタートビットの位置を検出すると共に上記スタートビットの位置情報から所定のデータビットの後に奇数パリティを付加して伝送するように構成される。【選択図】  図１
2006086929.tif 000002
【特許請求の範囲】
【請求項１】
スタートビット、データビット、パリテイビットおよびストップビットからなる調歩同期によってデータを伝送するデータ伝送方法において、送信側において、上記スタートビットの位置を検出すると共に上記スタートビットの位置情報から所定のデータビットの後に奇数パリティを付加して伝送することを特徴とするデータ伝送方法。
【請求項２】
請求項１記載のデータ伝送方法において、受信側で上記スタートビットの位置を検出すると共に上記スタートビットの位置情報から所定のデータビットの後のパリティ部分の奇数パリティを検出することにより誤り検出することを特徴とするデータ伝送方法。
【請求項３】
スタートビット、データビット、パリテイビットおよびストップビットからなる調歩同期データを入力されるデータ入力部と、上記データ入力部の出力データと伝送情報を多重化する多重化部と、上記多重化部の出力をＤＶＢ符号化処理するＤＶＢ符号化処理部および上記ＤＶＢ符号化処理部の出力を所定の送信信号に変換する変調部からなり、上記データ入力部は、上記スタートビットの位置を検出する第1のスタートビット検出処理部と、上記第1のスタートビット検出処理部で検出されたスタートビットの位置情報に基づいて所定の上記データビットの後に奇数パリティを付加する奇数パリテイ付加処理部からなることを特徴とするデータ送信装置。
【請求項４】
スタートビット、データビット、パリテイビットおよびストップビットからなる調歩同期データと伝送情報とを多重化して伝送するデータ送受信装置において、データ送信装置は、上記調歩同期データが入力されるデータ入力部と、上記データ入力部の出力データと上記伝送情報を多重化する多重化部と、上記多重化部の出力をＤＶＢ符号化処理するＤＶＢ符号化処理部および上記ＤＶＢ符号化処理部の出力を所定の送信信号に変換する変調部からなり、上記データ入力部は、上記スタートビットの位置を検出する第1のスタートビット検出処理部と、上記第1のスタートビット検出処理部で検出されたスタートビットの位置情報に基づいて所定の上記データビットの後に奇数パリティを付加する奇数パリテイ付加処理部からなり、データ受信装置は、上記変調部から送られてくるデータを復調する復調部と、復調されたデータをＤＶＢ復号化処理するＤＶＢ復号化処理部と、上記ＤＶＢ復号化処理部の出力を上記調歩同期データと上記伝送情報に分離する分離部および上記調歩同期データが入力されるデータ出力部からなり、上記データ出力部は、上記スタートビットの位置を検出する第２のスタートビット検出処理部と、上記第２のスタートビット検出処理部で検出されたスタートビットの位置情報に基づいて所定の上記データビットの後の奇数パリティ部分の奇数パリティを検出する奇数パリテイ検出処理部とを有することを特徴とするデータ送受信装置。
【発明の詳細な説明】
【技術分野】
【０００１】
本発明は、データ伝送方法およびデータ送受信装置に関し、特に、パケット単位のデータ伝送において、安定なデータ伝送のできるデータ伝送方法およびデータ送受信装置に関するものである。
【背景技術】
【０００２】
映像や音声等のデジタルデータを送信側から受信側に送信する場合、送信側から伝送されたデジタルデータを受信側で正しく受信するためには、何等かのビット同期が必要である。この同期方式として同期伝送方式と非同期伝送方式がある。同期伝送方式は、送信されたデータ信号の各ビット間の変化点などを検出して送信側に同期したクロックを受信側で作成し、同期をとる方法である。非同期伝送方式には、例えば、調歩同期伝送方式がある。この調歩同期伝送方式は、各符号の最初と最後に付加されたスタートビットとストップビットを手がかりとして符号単位に同期をとる方式である。
【０００３】
従来の調歩同期伝送方式によってデータ伝送を行う技術について説明する。図８は、従来の調歩同期伝送方式を用いた送受信装置の概略構成を示すブロック図である。図８において、８０１は、送信機、８０２は、受信機を示す。送信機８０１は、データ入力部８０３、送信インターリーブ部８０４およびデータ送信部８０５で構成されている。また、受信機８０２は、データ受信部８０６、受信デインターリーブ部８０７およびデータ出力部８０８で構成されている。
【０００４】
さて、入力端子８０２から、例えば、テレビジョン放送の場合の送信所の制御や音声信号（以下サービスチャネル（ＳＣ）信号と称する。）等のデジタル信号がデータ入力部８０３に供給される。データ入力部８０３では、入力されたデータが上述の調歩同期信号に変換され、送信インターリーブ部８０４に供給される。ここで、データ入力部８０３の調歩同期信号の生成について図９および図１０を用いて説明する。この調歩同期伝送とは、前述の同期方式のように同期をとらず、１文字（１ワードデータ）づつ伝送する方式である。即ち、予めスタートビット（スタート信号）、ストップビット（ストップ信号）および１ワードデータ分のビット数等を決めておき、１ワードデータを送信するたびに「スタートビット」＋「１ワードデータ分のビット列」＋「ストップビット」を送信する。なお、データを送信していない間は、ストップビットを送信する。例えば、図９に示すようにスタートビットは、値「０」の１ビット、ストップビットは、値「１」の１ビット、１ワードデータは、７ビットのパリティあり（偶数パリティ）と決めておく。そして、文字「Ａ」（１０００００１）を送信すると、１ワードデータ当たり１０ビット使用することになり、（０１０００００１０１）となる。これを送信入力信号で示すと、図１０のようにスタートビットＳＴ：１ビット、１ワードデータＤ０〜Ｄ６：７ビット、パリテイＰ：１ビット、ストップビットＳＰ：１ビットの１０ビット構成で１ワードデータが送信される。なお、図９、図１０において、１ワードデータの前後は、伝送データがないので、ストップビットＳＰ（値「１」）が送信されている場合を示している。もし、連続してデータが伝送される場合には、ストップビットＳＰの次ぎにスタートビットＳＴが送信され、以後同様である。なお、このように調歩同期信号に変換されて送信されるデータを調歩同期データと呼ぶことにする。
【０００５】
この調歩同期データは、各種の処理をされた後、伝送路８０９を介して受信機８０２に伝送されるが、伝送路上でランダム的なエラーにより、データが反転してしまう等の問題が発生し、伝送されたデータが正しく復号されない場合が生じる。なお、伝送路８０９は、一般的には、無線、例えば、マイクロ波等の伝送路である。図１１は、その状態を説明するための図である。図１１において、データＡは、Ｈレベル（High Level）の信号を示している。なお、点線は、０レベル、Ｌは、Ｌレベル（Low Level）を示している。このＨレベルの信号が伝送路８０９を伝播する場合、伝送路８０９でのフェージングあるいはマルチパス等の影響で、ランダム的な誤りが発生する。図１１におけるデータＢは、その様子を模式的に表したものである。即ち、データＡは、送信時は、Ｈレベルの信号であるが、受信側で受信されるデータＢには、ｌ１、ｌ２で示されるＬレベルの誤り信号が混入したデータＢとなる。
【０００６】
このＬレベルの誤り信号が１ビット程度であれば、誤り訂正等で修復が可能であるが、バースト的な誤り（集中的な誤り）の場合には、誤り訂正ができず、伝送データが復号できないと言う問題がある。従って、最も誤り訂正の困難なバースト的な誤りが混入する可能性を考慮し、データ入力部８０３の出力を送信インターリーブ部８０４でインターリーブを施し伝送を行う。ここで、インターリーブについて説明する。図１２は、インターリーブの原理を説明するための図である。図１２において、データＡが例えば、ビットａ、ｂ、・・・ｋの並びのデータとして送信インターリーブ部８０４に入力されると、送信インターリーブ部８０４では、データＡの並びが変更され、拡散データＣ（ビットｆ、ｄ、・・・ｈ）のような並びに拡散され、データ送信部８０５に供給されることを示している。即ち、誤りの拡散を行うことによって、誤りの訂正や検出を行い易くする処理のことである。換言すれば、本来のデータパターン（データＡ）を送信側の送信インターリーブ部８０４で並び替えて伝送することにより、伝送路上で集中的に誤りが混入した場合でも受信側８０２の受信デインターリーブ部８０７で送信側と逆インタリーブを行う事により元のデータを復号できる。
【０００７】
図１３は、インターリーブを行わない場合とインターリーブを行った場合について、バースト誤りの影響を説明するための図である。図１３において、データＡ（ａ、ｂ、・・・ｋ）の並びに、仮にバースト的な誤りがビットｆ、ｇ、ｈ（×印で示す。）に発生した場合、インターリーブを行わない場合、受信側では、データＡ’が受信される。この場合、データＡ’から明らかなように、バースト的な誤りｆ、ｇ、ｈビットがそのまま受信されるので、データＡ’は誤り訂正ができない。
【０００８】
一方、データＡ（ビットａ、ｂ、・・・ｋ）が送信インターリーブ部８０４でインターリーブされたデータは、拡散データＣ（ビットｆ、ｄ、・・・ｈ）の並びで伝送路８０９を伝送するので、上述と同様にバースト的な誤りがビットｊ、ｈ、ｇに発生する。しかしながら受信機８０２の受信デインターリーブ部８０７でデインターリーブされたデータは、データＤ（ビットａ、ｂ、・・・ｋ）の並びになり、誤りビットｊ、ｈ、ｇは、分散されるので、誤り訂正が可能となる。即ち、データの並びを変えて伝送すると、伝送路上でバースト的な誤り（集中的な誤り）が発生した場合でも誤りの訂正や検出が行い易くなる。
【０００９】
送信インターリーブ部８０４でインターリーブされたデータは、データ送信部８０５で所定の高周波変調され、増幅されて伝送路８０９を介して受信機８０２に送信される。受信機８０２では、送信機８０１からの信号をデータ受信部で増幅、中間周波復調され、受信デインターリブ部８０７でデインターリブされ、データ出力部８０８で訂正復号され、出力端子８１０から、例えば、サービスチャネル（ＳＣ）信号が出力される。
【００１０】
而して、上述した調歩同期伝送方式では、通信していない間は、図９で説明したようにストップビット「１」（Ｈレベルの信号）が連続して送出されるようになっている。しかしながら希に発生するランダム的なエラーによりデータが反転し、ストップビット「１」（Ｈレベルの信号）が埋め込まれている間に、「０」（Ｌレベル）のデータが発生する。また、上述したように通信では、バーストエラーが発生すると、通信しているデータに連続的なエラーが発生する。このバーストエラーを回避する為に、伝送には誤り訂正率向上を目的で、インタリーブがしばしば行われているが、通信していない間のデータ（ストップビット）にバーストエラーが混入すると、本来Ｈレベルであるデータが反転して、Ｌレベルのデータになり、それがインタリーブにより拡散する為、本来通信していない間は、ストップビットのＨレベルのデータが続くはずであるが、誤りの混入で希にＬレベルのデータが存在することになる。なお、スタートビットは、データの立ち下がりを検出し、これをスタートビットと判定しているので、誤りで混入されたＬレベルのデータもスタートビットと誤認されることとなる。
【００１１】
従って、ストップビット以外のデータが全てＨレベルであっても、偶数パリティの性質上、伝送データは、正しいと判断される。結果としてこの希に存在するＬレベルの信号をストップビットと誤認識する可能性があり、本来、送信していないはずのデータがストップビットに全てＨレベルのデータが付加されたパケットとして誤認識されるという問題がある。
【００１２】
また、調歩同期方式におけるデータ伝送方式（例えば、特許文献１参照）には、データビットが制御データか又は単なるデータかを示す制御コードビットを付加する技術が開示されている。
【００１３】
【特許文献１】特開平１１−４１３１９号公報
【発明の開示】
【発明が解決しようとする課題】
【００１４】
上述したように調歩同期伝送方式では、送信するデータの最初と最後にスタートビットとストップビットを付加し、かつ、送信データがない期間は、ストップビットを連続して付加する構成となっている。しかし、ランダム的なエラー（バースト的あるいは集中的な誤り）により、本来、送信していないはずのデータがストップビットに全てＨレベルのデータが付加されたパケットとして誤認識されるという問題がある。
【００１５】
本発明の目的は、誤り訂正のし易いデータ伝送方法およびデータ送受信装置を提供することである。
【００１６】
本発明の他の目的は、バースト的な誤りに対しても誤り訂正のし易いデータ伝送方法およびデータ送受信装置を提供することである。
【００１７】
本発明の他の目的は、バースト的な誤りに対しても誤り訂正のし易い調歩同期伝送方式のデータ伝送方法およびデータ送受信装置を提供することである。
【００１８】
本発明の更に他の目的は、ＳＣ信号以外のデータ伝送と併用することのできる調歩同期伝送方式のデータ伝送方法およびデータ送受信装置を提供することである。
【課題を解決するための手段】
【００１９】
本発明は、スタートビット、データビット、パリテイビットおよびストップビットからなる調歩同期によってデータを伝送するデータ伝送方法において、送信側において、上記スタートビットの位置を検出すると共に上記スタートビットの位置情報から所定のデータビットの後に奇数パリティを付加して伝送するように構成される。
【００２０】
また、本発明のデータ伝送方法において、上記データビットは、奇数個のワードデータで構成される。
【００２１】
また、本発明のデータ伝送方法において、上記データビットは、７ビットのワードデータで構成されている。
【００２２】
また、本発明のデータ伝送方法において、受信側で上記スタートビットの位置を検出すると共に上記スタートビットの位置情報から所定のデータビットの後のパリティ部分の奇数パリティを検出することにより誤り検出するように構成される。
【００２３】
また、本発明のデータ送信装置は、スタートビット、データビット、パリテイビットおよびストップビットからなる調歩同期データを入力されるデータ入力部と、上記データ入力部の出力データと伝送情報を多重化する多重化部と、上記多重化部の出力をＤＶＢ符号化処理するＤＶＢ符号化処理部および上記ＤＶＢ符号化処理部の出力を所定の送信信号に変換する変調部からなり、上記データ入力部は、上記スタートビットの位置を検出する第1のスタートビット検出処理部と、上記第1のスタートビット検出処理部で検出されたスタートビットの位置情報に基づいて所定の上記データビットの後に奇数パリティを付加する奇数パリテイ付加処理部から構成される。
【００２４】
また、本発明のデータ送信装置において、上記データビットは、奇数ビットからなり、上記多重化部は、上記伝送情報と上記奇数パリティを付加された調歩同期データの多重化割合を適宜設定できるように構成される。
【００２５】
更に、本発明は、スタートビット、データビット、パリテイビットおよびストップビットからなる調歩同期データと伝送情報とを多重化して伝送するデータ送受信装置において、データ送信装置は、上記調歩同期データが入力されるデータ入力部と、上記データ入力部の出力データと上記伝送情報を多重化する多重化部と、上記多重化部の出力をＤＶＢ符号化処理するＤＶＢ符号化処理部および上記ＤＶＢ符号化処理部の出力を所定の送信信号の変換する変調部からなり、上記データ入力部は、上記スタートビットの位置を検出する第1のスタートビット検出処理部と、上記第1のスタートビット検出処理部で検出されたスタートビットの位置情報に基づいて所定の上記データビットの後に奇数パリティを付加する奇数パリテイ付加処理部からなり、データ受信装置は、上記変調部から送られてくるデータを復調する復調部と、復調されたデータをＤＶＢ復号化処理するＤＶＢ復号化処理部と、上記ＤＶＢ復号化処理部の出力を上記調歩同期データと上記伝送情報に分離する分離部および上記調歩同期データが入力されるデータ出力部からなり、上記データ出力部は、上記スタートビットの位置を検出する第２のスタートビット検出処理部と、上記第２のスタートビット検出処理部で検出されたスタートビットの位置情報に基づいて所定の上記データビットの後の奇数パリティ部分の奇数パリティを検出する奇数パリテイ検出処理部とを有するように構成される。
【発明の効果】
【００２６】
以上説明したように本発明によれば、調歩同期伝送方式において、バーストエラーが混入しても受信側で誤り訂正や検出が容易なデータ伝送方法およびデータ送受信装置が実現できる。また、従来の伝送ビットの範囲内で正確な誤り訂正が可能となるので、伝送速度に影響を与えないと言う特徴がある。更に、他のデータ伝送と併用したデータ伝送方法およびデータ送受信装置が実現できる。
【発明を実施するための最良の形態】
【００２７】
図１は、本発明の一実施例の概略構成を示すブロック図である。図１において、送信機１０１は、データ入力部１０２、多重化部（マルチプレクサ）１０３、ＤＶＢ（Digital Video Broadcast）符号化処理部１０４および変調部１０５から構成されている。なお、ＴＳinは、ＴＳ（Transport Stream）信号の入力端子、ＳＣinは、サービスチャネル（ＳＣ）信号の入力端子である。外部の符号化器、例えば、ＭＰＥＧ（Moving Picture Experts Group）２の符号化器で画像信号をＴＳ形式のディジタル信号ＴＳに変換され、入力信号端子ＴＳinから多重化部１０３に供給される。このＴＳ信号の信号フォーマットは、例えば、標準規格（ＡＲＩＢ  ＳＴＤ−Ｂ２２）で定められている。図４は、ＴＳ信号の信号フォーマットを示すもので、Ｔ：ＴＳパケット、Ｂ：ＴＭＣＣ（Transmission Multiplexing Configuration Control）基本情報、Ｐ：パリテイの２０４バイトで構成されている。このＴＳ信号は、多重化部１０３で後述するデータ入力部１０２からのＳＣ信号と多重化され、ＤＶＢ符号化処理部１０４に供給される。なお、多重化部１０３で多重化された伝送パケットの信号フォーマットは、上述と同様に、標準規格（ＡＲＩＢ  ＳＴＤ−Ｂ２２）で定められており、図５に示す。図５において、Ｔ：ＴＳパケット、Ｂ：ＴＭＣＣ基本情報、Ｓ：サービスチャネル（ＳＣ）信号、Ｐ：パリテイ、Ｒ：波形等化用基準信号の２０９バイトで構成されている。ここで、多重化部１０３で複合された伝送パケットを複合伝送パケット信号と呼ぶことにする。また、ＳＣ信号は、例えば、地上デジタルテレビジョン放送の放送方式（ＡＲＩＢ  ＳＴＤ−Ｂ２２）での送信所の制御や音声による連絡を行うために使用される信号である。
【００２８】
ＤＶＢ符号化処理部１０４では、後述するＤＶＢ符号化処理される。その後、変調部１０５に入力され、ここで、例えば、ＱＡＭ変調（Quadrature Amplitude Modulation）、高周波変調、増幅され、伝送路１０６を介して受信機１０７に送信される。
【００２９】
受信機１０７は、復調部１０８、ＤＶＢ復号化処理部１０９、分離部（デマルチプレクサ）１１０、データ出力部１１１から構成されている。なお、ＴＳoutは、ＴＳ信号の出力端子、ＳＣoutは、ＳＣ信号の出力端子である。送信機１０１から送られてきたＱＡＭ変調信号は、復調部１０８においてＱＡＭ復調される。ここで復調された復号信号は、ＤＶＢ復号化処理部１０９においてＤＶＢ復号され、分離部１１０でＴＳ信号とＳＣ信号に分離（デマルチプレクス）され、出力信号端子ＴＳoutおよび出力信号端子ＳＣoutから出力される。
【００３０】
次に、各部の詳細について説明する。まず、ＤＶＢ符号化処理部１０４の構成を図３（Ａ）に示す。多重化部１０３からの複合伝送パケット信号は、端子３０１を介してエネルギー拡散部３０２に印加され、エネルギー拡散部３０２において例えば擬似ランダム系列加算でエネルギー拡散を行い、ＲＳ（Reed-Solomon）符号化部３０３においてＲＳ符号化を行い、インターリーブ部３０４においてインターリーブを行う。ＲＳ符号化部３０３では、１ＴＳ単位で誤り訂正を行う。そのためＲＳ符号化部３０３では、１ＴＳ毎にパリティを付加する。インターリーブ部３０４では、図１２で説明したようなインターリーブが行われ、出力端子３０５から変調部１０５に供給される。変調部１０５では、４相差動位相偏移変調方式（DQPSK：Differential Quadrature Phase Shift Keying）が最もよく用いられるが、１６値直交振幅変調（16QAM：16 Quadrature Amplitude Modulation）や６４ＱＡＭなどの多値変調方式を用いることも可能である。
【００３１】
復調部１０８では、変調部１０５で変調された方式に従って復調が行われる。復調された信号は、ＤＶＢ復号化処理部１０９に供給される。ＤＶＢ復号化処理部１０９の構成を図３（Ｂ）に示す。ＤＶＢ復号化処理部１０９は、ＤＶＢ符号化処理部１０４とは逆の処理が行われる。即ち、図３（Ｂ）において、復調部１０８からの信号が端子３０６を介してデインターリーブ部３０７に印加される。デインターリーブ部３０７では、図１３で説明したようにデインターリーブが行われ、ＲＳ復号化部３０８においてＲＳ復号化を行い、エネルギー逆拡散部３０９においてエネルギー逆拡散を行い、出力端子３１０から分離部１１０に供給される。
【００３２】
次に、データ入力部１０２およびデータ出力部１１１の詳細について、図２（Ａ）および図２（Ｂ）を用いて説明する。図２（Ａ）において、データ入力部１０２は、スタートビット検出処理部２０１および奇数パリティ付加処理２０２から構成されている。入力端子ＳＣinに印加されたＳＣ信号は、スタートビット検出処理部２０１と奇数パリテイ付加処理部２０２とに印加される。スタートビット検出処理部２０１では、ＳＣ信号（ＳＣデータとも言う。）からスタートビットを検出し、スタートビット位置信号２０３を奇数パリティ付加処理部２０２へ出力する。奇数パリティ付加処理部２０２では、ＳＣデータとスタートビット位置信号２０３からＳＣデータに奇数パリティを付加し、奇数パリティ付加データＳＣＰを端子２０４を介して多重化部１０３に出力する。このＳＣＰは、図５に示す複合伝送パケット信号のＳ（サービスチャネル）に相当する。
【００３３】
また、図２（Ｂ）において、データ出力部１１１は、スタートビット検出処理部２０６および奇数パリティ検出処理部２０７から構成されている。分離部１１０で分離されたＳＣデータは、端子２０５を介してスタートビット検出処理部２０６および奇数パリテイ検出処理部２０７とに印加される。スタートビット検出処理部２０６では、ＳＣデータからスタートビットを検出し、スタートビット位置信号２０８を奇数パリティ検出処理部２０７へ出力する。奇数パリティ検出処理部２０７は、ＳＣデータとスタートビット位置信号から誤りを検出し、ＳＣデータを端子ＳＣoutから出力する。
【００３４】
次に動作について図６および図７を用いて説明する。ここで、入力端子ＳＣinに入力されるＳＣ信号は、調歩同期信号である。図６は、データ入力部１０２で生成されるＳＣデータを示している。即ち、データ入力部１０２のスタートビット検出部２０１は、図６に示すスタートビットＳＴの「０」（Ｌレベル）を検出するためにデータを構成する各ビットの立ち下がりを検出する。その結果、スタートビットＳＴの位置が検出される。このスタートビットＳＴの検出された位置情報（ＰＴ１）を奇数パリティ付加処理部２０２へ出力する。奇数パリティ付加処理部２０２では、前もって記憶部２０９等に１ワードデータ（１文字分）は、７ビットで構成していることが記憶されているので、ＳＣデータ内のデータ部（Ｄ０、Ｄ１、・・・Ｄ６）の７ビットをスタートビットＳＴの位置とスタートビット位置情報ＰＴ１とから判別し、８ビット目に奇数パリティＰを付加する。なお、図６において、ＳＰは、ストップビット（Ｈレベル）であり、ワードデータが連続する場合には、ストップビットＳＰの次にスタートビットＳＴ（Ｌレベル、１ビット）が続く。また、送信するワードデータがない場合は、ストップビットＳＰ（Ｈレベル）が連続して送信される。なお、記憶部２０９は、例えば、ＲＯＭ（Read Only Memory）、ＲＡＭ（Random Access Memory）等の半導体メモリで構成され、また、１ワードデータ（１文字分）が７ビットであることを示す情報は、従来周知の外部の操作器（図示せず）から設定入力される。
【００３５】
一方、受信機１０７側において、スタートビット検出処理部２０６では、前述と同様にスタートビットＳＴ「０」（Ｌレベル）を検出するためにＳＣデータの各ビットの立ち下りを検出する。検出したスタートビットＳＴの位置を、スタートビット位置情報（ＰＴ２）として奇数パリティ検出処理部２０７へ出力する。奇数パリティ検出処理部２０７では、前もって記憶部２１０等に１ワードデータ（１文字分）は、７ビットで構成していることが記憶されているので、ＳＣデータ内のデータ部（Ｄ０、Ｄ１、・・・Ｄ６）の７ビットをスタートビットＳＴの位置とスタートビット位置情報ＰＴ２とから判別し、データ部の次の１ビットの奇数パリティが正しいか否かを判別する。なお、記憶部２１０は、例えば、ＲＯＭ（Read Only Memory）、ＲＡＭ（Random Access Memory）等の半導体メモリで構成され、また、１ワードデータ（１文字分）が７ビットであることを示す情報は、従来周知の外部の操作器（図示せず）から設定入力される。以上説明した実施例は、１ワードデータ（1文字分）は、７ビットで説明したが、一般的には奇数ビットで表す場合に適用が可能である。
【００３６】
而して、上述した調歩同期伝送方式でデータを伝送する場合、スタートビットＳＴからストップビットＳＰまでの１０ビット（bits）を1つのパケットとして伝送するので、1つのパケットに２ビット以上のデータに誤りが発生すると、パリティビットＰを付加していても誤りを検出できない。例えば、調歩同期で伝送しているデータ内にバースト的あるいは集中的な誤りが発生すると、１パケット内に数ビットのデータに誤りが生じてしまう。その結果、パリティビットＰを付加していても誤りの検出が行えなくなってしまう。
【００３７】
しかしながら本発明のように奇数パリティで調歩同期を行う場合、スタートビットＳＴが０で、その後にデータ部（Ｄ０、Ｄ１、・・Ｄ６）が全て１である場合は、「１」が７ビット続くため、パリティビットＰが「０」（Ｌレベル、奇数パリテイ）になる。従って、スタートビットＳＴが０で、スタートビットＳＴ以降１が７ビット以上続くということはないのである。換言すれば、データを伝送していない間、即ち、ストップビットＳＰ「１」が連続している期間にバースト的エラーが混入した時、本来Ｈレベルであるデータが反転しＬレベルになり、それがインタリーブにより拡散し、本来データを伝送していない間は、Ｈレベルのデータ（ストップビットＳＰ「１」）が続くはずであるが、バースト的誤りの混入で希に存在するＬレベル「０」のデータをスタートビットＳＴと誤認識されるが、本発明のように奇数パリテイの場合は、このような問題が解消される。
【００３８】
これについて図７を用いて更に詳細に説明する。図７（Ａ）は、調歩同期されたデータを示し、図７（Ｂ）は、図７（Ａ）のスタートビットＳＴから１０ビットの拡大図を示している。図７（Ｂ）は、例えば、スタートビットＳＴが「０」（Ｌレベル）、１ワードデータ（１文字分）がＤ０、Ｄ１、・・・・Ｄ６（７ビット）が全て「１」（Ｈレベル）のデータの場合、仮に、パリティビットＰが偶数パリテイとすると、Ｂ１で示すパリテイビット「１」（Ｈレベル）となり、更に、ストップビットＳＰが「１」（Ｈレベル）となる。即ち、この場合は、「１」（Ｈレベル）を示すビットが９ビット以上連続する（例えば、０、１、１、１、１、１、１、１、１、１、・・のように連続する。）こととなり、１ワードデータ（１文字分：Ｄ０、Ｄ１、・・・・Ｄ６）であるのか、ストップビットＳＰなのかの区別がつかない。しかしながら、本発明のように奇数パリテイとすると、スタートビットＳＴが「０」（Ｌレベル）、１ワードデータ（１文字分）がＤ０、Ｄ１、・・・・Ｄ６（７ビット）が全て「１」（Ｈレベル）のデータの場合でも、パリティビットＰが奇数パリテイであるため、Ｂ２で示すパリテイビット「０」（Ｌレベル）となり、更に、ストップビットＳＰが「１」（Ｈレベル）となる。即ち、１ワード調歩同期データは、（０、１、１、１、１、１、１、１、０、１）となり、連続するストップビットＳＰと区別できることは明らかである。
【００３９】
次に、本発明の他の一実施例を図１４および図１５を用いて説明する。図１に示す実施例では、地上デジタルテレビジョン放送の放送方式（ＡＲＩＢ  ＳＴＤ−Ｂ２２）で定められている図４および図５で示される伝送フォーマットについて説明したが、本発明は、これに限られるものではなく、多くの伝送情報と、調歩同期データとを多重して伝送する場合にも適応することができる。
【００４０】
図１４（Ａ）は、多重データ送信部１４０１の概略構成図である。この多重データ送信部１４０１は、データ入力部１４０４とデータ多重部１４０５とから構成されている。なお、データ入力部１４０４とデータ多重部１４０５とは、それぞれ図１に示すデータ入力部１０２および多重化部１０３にそれぞれ対応する。また、送信機の構成は、ほぼ図１の送信機１０１と同様であるので、詳細な説明は省略する。
【００４１】
図１４（Ａ）において、多重データ送信部１４０１に伝送情報ＴＩ（例えば、図１４（Ｂ）に示す伝送情報）が入力端子１４０２に入力される。また、入力端子１４０３には、調歩同期データＵＡ（例えば、図１４（Ｃ）に示される調歩同期用データ）が入力され、データ入力部１４０４に入力される。このデータ入力部１４０４は、例えば、図２（Ａ）に示されるデータ入力部と同様の回路が用いられ、１ワードデータ（１文字分）を奇数パリテイを付加した調歩同期データ（例えば、図１４（Ｄ）に示される調歩同期用データ）に変換し、データ多重部１４０５に供給される。データ多重部１４０５では、伝送情報ＴＩと奇数パリテイを付加された調歩同期データＵＡとが所定の割合で多重化され（例えば、図１４（Ｅ）で示される多重化情報）、端子１４０６、ＤＶＢ符号化処理部１０４、変調部１０５、伝送路１０６を介して受信機１０７に伝送される。なお、データ多重部１４０５で多重化される伝送情報ＴＩと奇数パリテイを付加された調歩同期データＵＡとの割合は、適宜設定することが可能であるが、奇数パリテイを付加された調歩同期データＵＡの割合を少なくする方が伝送情報ＴＩを多く送れるので都合が良い。
【００４２】
図１５（Ａ）は、多重データ受信部１５０１の概略構成図である。この多重データ受信部１５０１は、データ分離部１５０３とデータ出力部１５０４とから構成されている。なお、データ分離部１５０３とデータ出力部１５０４とは、それぞれ図１に示す分離部１１０およびデータ出力部１１１にそれぞれ対応する。また、受信機の構成は、ほぼ図１の受信機１０７と同様であるので、詳細な説明は省略する。
【００４３】
図１５（Ａ）において、入力端子１５０２にＤＶＢ複合化処理部１０９からのデータ（例えば、図１５（Ｂ）に示す。）が入力され、データ分離部１５０３に印加される。データ分離部１５０３では、所定の割合で多重化されていたデータを伝送情報ＴＩ（例えば、図１５（Ｃ）に示す。）と奇数パリテイを付加された調歩同期データＵＡ（例えば、図１５（Ｄ）に示す。）とを分離する。そして、伝送情報ＴＩは、出力端子１５０６から出力される。また、奇数パリテイを付加された調歩同期データＵＡは、データ出力部１５０４で奇数パリテイが検出され、入力された奇数パリティを付加された調歩同期データＵＡから図２（Ｂ）で示される回路と同様の処理を行い、調歩同期データ（例えば、図１５（Ｅ）で示す。）を出力端子１５０７から出力する。
【００４４】
以上説明したようにデータ入力部１０２あるいは１４０４で奇数パリテイを付加された調歩同期を行ったデータと他の伝送情報ＴＩとを多重して伝送する場合であっても、多重化されたデータは、分離され、調歩同期を行ったデータは、データ出力部１１１または１５０４によってスタートビット、パリティビット、データとストップビットの認識を行うことに変わりはない。その結果、データに誤りが混入した場合、偶数パリティで調歩同期を行った場合は、稀に存在するＬレベル「０」の信号をスタートビットと誤認識してしまう場合が発生する。従って、他の伝送情報ＴＩと多重化して調歩同期のデータを伝送する場合は、奇数パリティを付加して伝送する方が誤検出の頻度が下がると言う特徴がある。
【００４５】
調歩同期を行っているデータのみを伝送する場合でも、また、調歩同期を行って伝送しているデータと他の伝送情報とを多重化して伝送する場合でも、パリティが偶数パリティであっても、また、奇数パリティであっても誤り検出の能力に差が無い。しかしながら調歩同期伝送を行っている時に、データを伝送していない期間が多く、ストップビットのＨレベルの状態が連続する場合に、ランダムにエラーが混入する場合や、最も誤り検出が困難なバーストエラーが混入した場合等にインタリーブを施していて集中的な誤りを拡散した場合等において、本来Ｈレベルが継続するはずのデータに希にＬレベルが存在することになる。この希に存在するＬレベルを偶数パリティ付加では誤りとして検出できないので、本発明のように奇数パリテイを付加することによって誤り検出能力を向上させることが出来る。
【００４６】
以上、本発明について詳細に説明したが、本発明は、ここに記載されたデータ伝送方法およびデータ送受信装置に限定されるものではなく、上記以外のデータ伝送方法およびデータ送受信装置に広く適応することが出来ることは、言うまでも無い。
【図面の簡単な説明】
【００４７】
【図１】本発明の一実施例の概略構成を示すブロック図である。
【図２】本発明の一実施例のデータ入力部およびデータ出力部の概略構成を示すブロック図である。
【図３】本発明の一実施例のＤＶＢ符号化処理部およびＤＶＢ復号化処理部の概略構成を示すブロック図である。
【図４】本発明で使用するＴＳ信号のフォーマットを示す図である。
【図５】本発明で使用する多重化された伝送パケットの信号フォーマットを示す図である。
【図６】本発明の調歩同期のＳＣデータのビット配列を説明するための図である。
【図７】本発明の原理を説明するための図である。
【図８】従来のデータ送受信装置の概略構成を示すブロック図である。
【図９】従来の調歩同期伝送を説明するための図である。
【図１０】従来の調歩同期のビット配列を説明するための図である。
【図１１】伝送データにランダム的な誤りが発生した場合を説明するための図である。
【図１２】インターリーブの原理を説明するための図である。
【図１３】インターリーブを行わない場合とインターリーブを行った場合を説明するための図である。
【図１４】本発明の他の一実施例の多重データ送信部を説明するための図である。
【図１５】本発明の他の一実施例の多重データ受信部を説明するための図である。
【符号の説明】
【００４８】
１０１：送信機、１０２、８０３、１４０４：データ入力部、１０３：多重化部、１０４：ＤＶＢ符号化処理部、１０５：変調部、１０６、８０９：伝送路、１０７：受信部、１０８：復調部、１０９：ＤＶＢ復号化処理部、１１０：分離部、１１１、８０８、１５０４：データ出力部、２０１、２０６：スタートビット検出処理部、２０２：奇数パリテイ付加処理部、２０３、２０８：スタートビット位置信号、２０４、３０５、３１０、８１０、１４０６、１５０６、１５０７：出力端子、２０５、３０１、３０６、８０２、１４０２、１４０３、１５０２：入力端子、２０７：奇数パリテイ検出処理部、２０９、２１０：記憶部、３０２：エネルギー拡散部、３０３：ＲＳ符号化部、３０４、６０４：インターリーブ部、３０７、８０７：デインターリーブ部、３０８：ＲＳ復号化部、３０９：エネルギー逆拡散部、８０１：送信機、８０５：データ送信部、８０６：データ受信部、１４０１：多重データ送信部、１４０５：データ多重部、１５０１：多重データ受信部、１５０３：データ分離部。
【図１】
2006086929.tif 000003
【図２】
2006086929.tif 000004
【図３】
2006086929.tif 000005
【図４】
2006086929.tif 000006
【図５】
2006086929.tif 000007
【図６】
2006086929.tif 000008
【図７】
2006086929.tif 000009
【図８】
2006086929.tif 000010
【図９】
2006086929.tif 000011
【図１０】
2006086929.tif 000012
【図１１】
2006086929.tif 000013
【図１２】
2006086929.tif 000014
【図１３】
2006086929.tif 000015
【図１４】
2006086929.tif 000016
【図１５】
2006086929.tif 000017